(57)【要約】【課題】フレームに形成されたスリットを跨いで台座部を形成し、該台座部上にギア支持軸を形成することにより、強度を確保しつつコンパクトな構成のギア装置及びそのギア装置を用いたカメラを提供することを目的とする。【解決手段】本体フレーム３０に形成されたスリット１００を跨いで台座部１０２を形成し、その台座部１０２に第２ギア支持軸９０を立設する。第２ギア支持軸９０に支持される第２ギア８２は、大径の下段ギア８２Ａと小径の上段ギア８２Ｂとを一体化してなる二段ギアで構成され、その裏面に台座部１０２が嵌入される凹部１０４が形成される。【選択図】      図５
2005274960.tif 000002
【特許請求の範囲】
【請求項１】
スリットを有するフレーム上に複数のギア支持軸を立設し、各ギア支持軸にギアを回転自在に支持してギア列を形成するギア装置において、
前記スリットを跨いで前記フレームに一体的に形成された台座部に少なくとも１つのギア支持軸が立設され、該ギア支持軸に支持されるギアは、裏面に前記台座部が嵌入される凹部を有することを特徴とするギア装置。
【請求項２】
前記台座部に立設されたギア支持軸に支持されるギアは、小径の上段ギアと大径の下段ギアとを一体化してなる二段ギアであることを特徴とする請求項１に記載のギア装置。
【請求項３】
請求項１又は２に記載のギア装置によってズームモータの回転が伝達されてズーム駆動されるズームレンズを備えたことを特徴とするカメラ。
【発明の詳細な説明】
【技術分野】
【０００１】
本発明はギア装置及びそのギア装置を用いたカメラに係り、特に撮影レンズのズーム駆動に使用されるギア装置及びそのギア装置を用いたカメラに関する。
【背景技術】
【０００２】
カメラに組み込まれた撮影レンズのズーム駆動は、ズームモータによって行なわれ、このズームモータの回転をギア装置で撮影レンズに伝達して、撮影レンズをズーム駆動する。ズームモータの回転を撮影レンズに伝達するギア装置は、カメラ本体のフレームに設けられ、そのフレームに一体的に設けられたギア支持軸にギア装置を構成する各ギアが回転自在に支持される（たとえば、特許文献１参照）。
【０００３】
ところで、カメラ本体のフレームには、ギア装置の他にも様々な部材が取り付けられるが、これらの部材を取り付ける場合には、各部材が相互に干渉しないように取り付ける必要がある。たとえば、ギア装置が配置された位置にギア支持軸と直交する長いシャフトを配置する場合には、ギア装置とシャフトとが相互に干渉しないように、互いの設置位置を前後にずらして配置する必要がある。
【０００４】
しかしながら、ギア装置とシャフトの設置位置を前後にずらすと、その分カメラ本体の厚みが増し、カメラが大型化するという問題がある。
【０００５】
そこで、フレームのシャフトが配置される位置にスリットを形成し、このスリット内にシャフトを収容することにより、カメラ本体の厚みが増すことを抑制することが行なわれている。
【特許文献１】特開２００２−３５０９４５号公報
【発明の開示】
【発明が解決しようとする課題】
【０００６】
しかしながら、フレームにスリットを形成すると、フレームの強度が低下するという欠点がある。
【０００７】
本発明は、このような事情に鑑みてなされたもので、強度を確保しつつコンパクトな構成のギア装置及びそのギア装置を用いたカメラを提供することを目的とする。
【課題を解決するための手段】
【０００８】
請求項１に係る発明は、前記目的を達成するために、スリットを有するフレーム上に複数のギア支持軸を立設し、各ギア支持軸にギアを回転自在に支持してギア列を形成するギア装置において、前記スリットを跨いで前記フレームに一体的に形成された台座部に少なくとも１つのギア支持軸が立設され、該ギア支持軸に支持されるギアは、裏面に前記台座部が嵌入される凹部を有することを特徴とするギア装置を提供する。
【０００９】
本発明によれば、スリットを跨いでフレームに一体的に形成された台座部上に少なくとも１つのギア支持軸が立設される。このギア支持軸に支持されるギアの裏面には凹部が形成され、この凹部に台座部が嵌入される。これにより、フレームの強度を確保しつつ、装置全体の薄型化を図ることができる。
【００１０】
請求項２に係る発明は、前記目的を達成するために、前記台座部に立設されたギア支持軸に支持されるギアは、小径の上段ギアと大径の下段ギアとを一体化してなる二段ギアであることを特徴とする請求項１に記載のギア装置を提供する。
【００１１】
本発明によれば、台座部に立設されたギア支持軸に支持されるギアが、小径の上段ギアと大径の下段ギアとを一体化してなる二段ギアで構成される。これにより、ギアの裏面に比較的大きな凹部を形成することができ、比較的大きな台座部を形成した場合であっても、その台座部を凹部内に収容することができる。
【００１２】
また、請求項３に係る発明は、前記目的を達成するために、請求項１又は２に記載のギア装置によってズームモータの回転が伝達されてズーム駆動されるズームレンズを備えたことを特徴とするカメラを提供する。
【００１３】
本発明によれば、カメラに備えられたズームレンズが、請求項１又は２に記載のギア装置によってズームモータから回転が伝達されてズーム駆動される。これにより、カメラを構成するフレームの強度を確保することができ、また、全体をコンパクトな構成にすることができる。
【発明の効果】
【００１４】
本発明に係るギア装置及びそのギア装置を用いたカメラによれば、強度を確保しつつ全体をコンパクトな構成にすることができる。
【発明を実施するための最良の形態】
【００１５】
以下、添付図面に従って本発明に係るギア装置及びそのギア装置を用いたカメラを実施するための最良の形態について詳説する。
【００１６】
図１は、本発明に係るギア装置を用いたカメラの外観構成を示す正面斜視図である。このカメラ１０は、１３５フィルムを使用するフィルムカメラであり、そのカメラボディ１２の正面には、撮影レンズ１４、ファインダ窓１６、ストロボ１８等が設けられている。また、カメラボディ１２の上面には、レリーズボタン２０が設けられている。
【００１７】
図２は、図１に示したカメラ１０の背面斜視図である。同図に示すように、カメラボディ１２の背面には、ファインダ接眼部２２、ズームボタン２４、裏蓋２６等が設けられている。
【００１８】
裏蓋２６は、カメラ１０の本体フレーム３０に開閉自在に設けられており、裏蓋本体２６Ａと底蓋部２６Ｂとで構成されている。カメラ１０の本体フレーム３０は、その背面開口部が、裏蓋本体２６Ａによって覆われ、下面に形成されたパトローネ装填口２８が、底蓋部２６Ｂによって覆われる。
【００１９】
本体フレーム３０の背面開口部には、ほぼ中央位置にフィルムの露光範囲を規制するアパーチャ３２が形成されている。アパーチャ３２の右側にはフィルムパトローネ１を装填するパトローネ室３４が形成されており、左側にはフィルム２を巻き取るフィルム巻き取り室３６が形成されている。
【００２０】
パトローネ室３４は、底面にパトローネ装填口２８を有しており、このパトローネ装填口２８からフィルムパトローネ１がパトローネ室３４に装填される。この際、フィルムパトローネ１は、パトローネ軸３が突出した方からパトローネ装填口２８に落とし込むようにして、パトローネ室３４に装填する（いわゆる、逆装填ＤＩＬ（ドロップ・イン・ローディング）方式）。
【００２１】
パトローネ室３４に装填されたフィルムパトローネ１は、そのパトローネ軸３の先端が、パトローネ室３４に配置された巻き戻しフォーク３８に嵌合される。
【００２２】
また、あらかじめフィルムパトローネ１から引き出されているフィルム２の先端部分が、アパーチャ上にセットされるとともに、そのフィルム２に形成されたパーフォレーション２Ａにスプロケット４０が噛み合わされる。フィルム２は、このスプロケット４０が回転駆動されることにより、フィルム巻き取り室３６に送られる。
【００２３】
フィルム巻き取り室３６には、スプロケット４０と連動して回転するスプール４２が配置されており、フィルム巻き取り室３６に送られたフィルム２は、このスプール４２に巻き取られる。
【００２４】
なお、このカメラ１０では、いわゆる予備巻き方式が採用されており、フィルムパトローネ１をパトローネ室３４に装填すると、最初にフィルム２が終端まで巻き上げられ、撮影後に１コマずつフィルム２がフィルムパトローネ１に巻き戻されてゆく。
【００２５】
フィルム２の巻き戻しは、巻き戻しフォーク３８を回転駆動することにより行なわれ、この巻き戻しフォーク３８の回転駆動とスプール４２の回転駆動は同じ１つのモータで行なわれる。すなわち、同じ１つのモータの出力先を切り替えて使用することにより、巻き戻しフォーク３８とスプール４２とを同じ１つのモータで駆動している。
【００２６】
図３は、スプールと巻き戻しフォークの回転駆動部の概略構成を示す斜視図である。同図に示すように、スプール４２は、カメラ１０の本体フレーム３０に形成されたスプール支持部４４に回転自在に支持されている。このスプール４２は中空状に形成されており、その内側には図示しないフィルム給送モータが配置されている。
【００２７】
フィルム給送モータは、カメラ１０の本体フレーム３０に取り付けられており、その出力軸にはスプール支持部４４の内側に配設された図示しない出力切替機構が接続されている。出力切替機構は、フィルム給送モータの回転方向に応じて、フィルム給送モータの出力先をスプール側と巻き戻しフォーク側とに切り替えるもので、フィルム給送モータを正回転させると、スプール側にフィルム給送モータの回転を出力し、逆回転させると、巻き戻しフォーク側にフィルム給送モータの回転を出力する。
【００２８】
スプール側にフィルム給送モータの回転が出力されると、スプール４２の基端部内周に形成された図示しない内歯にフィルム給送モータの回転が伝達され、スプール４２が正方向（図３中矢印Ａ方向）に回転する。
【００２９】
一方、巻き戻しフォーク側にフィルム給送モータの回転が出力されると、ギア列４６にフィルム給送モータの回転が伝達される。ギア列４６は、シャフト４８の下端部に設けられたギア４８Ａに回転を伝達し、これにより、シャフト４８が回転する。シャフト４８の上端部には、ギア４８Ｂが設けられており、このギア４８Ｂからアイドルギア５０を介して巻き戻しフォーク３８に形成されたギア５２にシャフト４８の回転が伝達される。この結果、巻き戻しフォーク３８が逆方向（図３中矢印Ｂ方向）に回転する。
【００３０】
なお、スプール側にフィルム給送モータの回転が出力された場合、巻き戻しフォーク側はフリーな状態になり、巻き戻しフォーク側にフィルム給送モータの回転が出力された場合は、スプール側がフリーな状態になる。
【００３１】
スプール４２からスプロケット４０への回転伝達は遊星クラッチ機構５４にて行なわれる。遊星クラッチ機構５４は、スプール４２の頂部に形成されたスプールギア５６と、そのスプールギア５６と噛み合う遊星ギア５８と、スプロケット４０に連結されたスプロケットギア６０とで構成されている。遊星ギア５８は、スプール４２の外周に揺動自在に設けられた遊星レバー６２に設けられている。この遊星レバー６２とスプール４２との間には、図示しないフリクション部材によって所定のフリクションが与えられており、これにより、遊星レバー６２がスプール４２の回転に連動して揺動する。すなわち、スプール４２が正方向に回転すると、これに連動して正方向に揺動し、遊星ギア５８をスプロケットギア６０に噛み合わせる。一方、スプール４２が逆方向に回転すると、これに連動して逆方向に揺動し、遊星ギア５８をスプロケットギア６０から切り離す。したがって、スプロケット４２は、スプール４２が正方向に回転すると、これに連動して同じ方向に回転し、スプール４２が逆方向に回転すると、回転伝達が切り離されて、フリーな状態になる。
【００３２】
なお、遊星レバー６２は、図示しない規制部材によって、揺動範囲が規制されており、一定の角度範囲で揺動する。
【００３３】
図４は、撮影レンズ１４のズーム駆動部の概略構成を示す図である。撮影レンズ１４は、沈胴式のズームレンズで構成されており、カメラ１０の電源を投入すると、カメラボディ１２の前面から繰り出される。カメラボディ１２から繰り出された撮影レンズ１４は、広角端で一度停止し、ズームボタン２４を操作することにより、ズーム駆動されて、焦点距離が変化する。
【００３４】
撮影レンズ１４のズーム駆動は、レンズ鏡筒２８の外周に形成された動作ギア７０をズームモータ７２で回転駆動することにより行なわれる。すなわち、この動作ギア７０をズームモータ７２で回転駆動すると、図示しないカム機構の作用でレンズ鏡筒２８が光軸に沿って伸縮し、この結果、焦点距離が変化する。
【００３５】
ズームモータ７２は、カメラ１０の本体フレーム（不図示）に固定されており、その出力軸７２Ａには、ウォーム７４が取り付けられている。ウォーム７４には、ウォームホイール７６が噛み合わされており、このウォームホイール７６からギア装置７８を介してズームモータ７２の回転が動作ギア７０に伝達される。
【００３６】
ウォームホイール７６は、大径の下段ギア７６Ａと小径の上段ギア７６Ｂとを一体化してなる二段ギアで構成されており、カメラ１０の本体フレーム（不図示）に形成されたウォームホイール支持軸７９に回転自在に支持されている。ウォーム７４は、このウォームホイール７６の下段ギア７６Ａに噛み合わされている。
【００３７】
ギア装置７８は、４つのギア（第１ギア８０、第２ギア８２、第３ギア８４、第４ギア８６）からなるギア列で構成されており、カメラ１０の本体フレーム（不図示）の前面に配置されている。
【００３８】
第１ギア８０は、大径の上段ギア８０Ａと小径の下段ギア８０Ｂとを一体化してなる二段ギアで構成されており、図示しない本体フレームの前面部に一体的に形成された第１ギア支持軸８８に回転自在に支持されている。この第１ギア８０の上段ギア８０Ａは、ウォームホイール７６の上段ギア７６Ｂに噛み合わされている。
【００３９】
第２ギア８２は、大径の下段ギア８２Ａと小径の上段ギア８２Ｂとを一体化してなる二段ギアで構成されており、図示しない本体フレームの前面部に一体的に形成された第２ギア支持軸９０に回転自在に支持されている。この第２ギア８２の下段ギア８２Ａは、第１ギア８０の下段ギア８０Ｂに噛み合わされている。
【００４０】
第３ギア８４は、図示しない本体フレームの前面部に一体的に形成された第３ギア支持軸９２に回転自在に支持されており、第２ギア８２の上段ギア８２Ｂに噛み合わされている。
【００４１】
第４ギア８６は、図示しない本体フレームの前面部に一体的に形成された第４ギア支持軸９４に回転自在に支持されており、第３ギア８４と動作ギア７０とに噛み合わされている。
【００４２】
ズームモータ７２の主力軸７２Ａの回転は、ウォーム７４からウォームホイール７６に伝達され、ウォームホイール７６からギア装置７８を介して動作ギア７０に伝達され、これにより、撮影レンズ１４がズーム駆動される。
【００４３】
ところで、図４に示すように、ギア装置７８が設置される場所には、フィルム給送モータの回転を巻き戻しフォーク３８に伝達するためのシャフト４８が配設される。このシャフト４８とギア装置７８とは、互いに抵触しないように配設する必要があり、本実施の形態のカメラ１０では、次のように、両社が設置されている。すなわち、図５及び図６に示すように、ギア装置７８が設置されるカメラ１０の本体フレーム３０にスリット１００を形成し、このスリット１００の間を通してシャフト４８を本体フレーム３０に配設する。これにより、カメラボディ１２の厚みが増すのを最小限に抑えることができる。
【００４４】
一方、このようにカメラ１０の本体フレーム３０にスリット１００を形成すると、本体フレーム３０の強度が低下する。特に、ギア装置７８が設置される部位は板状に形成されているため、スリット１００が形成されると、強度が極端に低下する。
【００４５】
そこで、本実施の形態のカメラ１０では、ギア装置７８を次のように構成して本体フレーム３０の強度を確保している。すなわち、図５及び図６に示すように、スリット１００を跨ぐようにして円盤状の台座部１０２をカメラ１０の本体フレーム３０に一体的に形成し、この台座部１０２の上に第２ギア８２を支持する第２ギア支持軸９０を立設する。一方、この第２ギア支持軸９０に支持される第２ギア８２には、その裏面に台座部１０２が嵌入される凹部１０４を形成する。
【００４６】
このように構成することにより、スリット１００が形成された本体フレーム３０を台座部１０２で補強することができ、本体フレーム３０に所要の強度を確保することができる。また、ギア側には台座部１０２が嵌入される凹部１０４が形成されるため、ギアの設置高さが増すこともなく、装置全体を薄く、コンパクトにまとめることができる。
【００４７】
以上説明したように、本実施の形態のカメラ１０によれば、本体フレーム３０にスリット１００を形成し、そのスリット１００にシャフト４８を配置することにより、カメラボディ１２の薄型化を図ることができる。
【００４８】
一方、カメラ１０の本体フレーム３０は、スリット１００が形成されることにより、強度が低下するが、本実施の形態のカメラ１０では、そのスリット１００を跨ぐようにして台座部１０２が本体フレーム３０に一体的に形成され、その台座部１０２に第２ギア支持軸９０が立設されるため、スリット１００が形成されていても所要の強度を確保することができる。また、第２ギア支持軸９０に支持される第２ギア８２は、裏面に台座部１０２が嵌入される凹部１０４が形成されているため、ギアの設置高さが増すこともない。
【００４９】
このように、本発明に係るギア装置を適用することにより、カメラ１０を薄くコンパクトな構成にすることができる。
【００５０】
なお、本実施の形態では、本発明をカメラのズーム駆動部のギア装置に適用した場合を例に説明したが、本発明の適用は、これに限定されるものではなく、他の機器にも同様に適用することができる。
【００５１】
また、本実施の形態では、台座部上に立設されたギア支持軸（第２ギア支持軸）に支持されるギア（第２ギア）を大径の下段ギアと小径の上段ギアとからなる二段ギアで構成しているが、一段のギア等で構成してもよい。なお、本実施の形態のように、大径の下段ギアと小径の上段ギアとからなる二段ギアで構成することにより、比較的大きな台座部を形成した場合であっても、余裕を持って裏面に凹部を形成することができる。
【００５２】
また、本実施の形態では、本体フレーム３０にシャフト４８を収容するためのスリット１００が形成されている場合を例に説明したが、スリットの用途は、これに限定されるものではなく、他の目的でフレームにスリットが形成される場合にも、本発明は適用することができる。
【図面の簡単な説明】
【００５３】
【図１】本発明に係るギア装置が適用されたカメラの外観構成を示す正面斜視図
【図２】本発明に係るギア装置が適用されたカメラの外観構成を示す背面斜視図
【図３】スプールと巻き戻しフォークの回転駆動部の概略構成を示す斜視図
【図４】撮影レンズのズーム駆動部の概略構成を示す図
【図５】ギア装置の設置部の構成を示す断面図
【図６】ギア装置の設置部の構成を示す斜視図
【符号の説明】
【００５４】
１…フィルムパトローネ、２…フィルム、１０…カメラ、１２…カメラボディ、１４…撮影レンズ、３０…本体フレーム、３２…アパーチャ、３４…パトローネ室、３６…フィルム巻き取り室、３８…巻き戻しフォーク、４０…スプロケット、４２…スプール、４８…シャフト、７２…ズームモータ、７４…ウォーム、７６…ウォームホイール、７８…ギア装置、８０…第１ギア、８２…第２ギア、８４…第３ギア、８６…第４ギア、８８…第１ギア支持軸、９０…第２ギア支持軸、９２…第３ギア支持軸、９４…第４ギア支持軸、１００…スリット、１０２…台座部、１０４…凹部
【図１】
2005274960.tif 000003
【図２】
2005274960.tif 000004
【図３】
2005274960.tif 000005
【図４】
2005274960.tif 000006
【図５】
2005274960.tif 000007
【図６】
2005274960.tif 000008